(57)【要約】  【課題】  刃先が容易に磨耗したり、刃先に穿孔片が詰まることのない長寿命の穿孔刃を提供する。  【解決手段】  柱状体２の先端部に形成された刃先４により被穿孔体Ｐを穿孔する穿孔刃１であって、前記刃先1が複数の頂部４ａと谷部４ｂで形成され、前記頂部４ａの少なくとも一つが他の頂部よりも前記柱状体２の軸心方向先端側に突出形成されている。  【選択図】  図２
2007044796.tif 000002
【特許請求の範囲】
【請求項１】
柱状体の先端部に形成された刃先により被穿孔体を穿孔する穿孔刃であって、
前記刃先が複数の頂部と谷部で形成され、前記頂部の少なくとも一つが他の頂部よりも前記柱状体の軸心方向先端側に突出形成されている穿孔刃。
【請求項２】
柱状体の先端部に形成された刃先により被穿孔体を穿孔する穿孔刃であって、
前記刃先がその先端位置が等しい複数の頂部と谷部で形成され、前記谷部を形成する曲面の最深部が前記柱状体の軸心から偏在形成されている穿孔刃。
【請求項３】
柱状体の先端部に形成された刃先により被穿孔体を穿孔する穿孔刃であって、
前記刃先が複数の頂部と谷部で形成され、前記頂部の少なくとも一つが他の頂部よりも前記柱状体の軸心方向先端側に突出形成され、且つ、前記谷部の最深部が前記柱状体の軸心から偏在形成されている穿孔刃。
【請求項４】
前記被穿孔体がロール状に巻回された長尺の印画紙であり、前記印画紙の短幅方向端部に穿孔する請求項１から３の何れかに記載の穿孔刃。
【発明の詳細な説明】
【技術分野】
【０００１】
本発明は、柱状体の先端部に形成された刃先により被穿孔体を穿孔する穿孔刃に関する。
【背景技術】
【０００２】
従来より被穿孔体を穿孔する穿孔刃として、図８（ａ）に示すように、柱状体１の先端に最深部が前記柱状体２の軸心Ｐｌと一致するように球面上の凹部３が形成され、その先端側周部に平坦な刃先４が形成されたものや、柱状体２の先端部に形成された刃先４が複数の頂部４ａと谷部４ｂで形成され、前記頂部４ａの前記柱状体２の軸心Ｐ方向先端側への突出位置が全て同位置になるように形成されたものが提案されていた。このような穿孔刃１を備えた穿孔装置は、前記穿孔刃１と前記柱状体２の径より僅かに大径の開口部５ａを備えた下刃５とが同軸心で対向配置され、それらの間に挿入された被穿孔体Ｐに対して前記穿孔刃１が前記軸心方向に突出移動することにより、前記被穿孔体Ｐが穿孔されるように構成されている。
【特許文献１】特開昭６２−２７１６９８号公報
【発明の開示】
【発明が解決しようとする課題】
【０００３】
しかし、上述した柱状体１の先端に最深部が前記柱状体２の軸心Ｐｌと一致するように球面上の凹部３が形成され、その先端側周部に平坦な刃先４が形成された穿孔刃では、下刃５に受けられた被穿孔体Ｐを刃先４の全域で押し付けて穿孔するものであったために、大きな押付け力が必要とされるものであるばかりか、刃先が短期間で磨耗しその寿命が著しく短いという問題があった。
【０００４】
一方、柱状体２の先端部に形成された刃先４が複数の頂部４ａと谷部４ｂで形成され、前記頂部４ａの前記柱状体２の軸心Ｐ方向先端側への突出位置が全て同位置になるように形成されたものでは、下刃５に受けられた被穿孔体Ｐを刃先４に形成された複数の頂部４ａで同時に押付けるものであるものの、被穿孔体に僅かな切込み部が形成されるとその後は下刃５と刃先４の両刃で鋏のように切断されるため、押付け力が低減されるという利点があるが、上述と同様、前記頂部４ａが短期間で磨耗しその寿命が短いという問題が解決されるものではなかった。
【０００５】
また、前者では凹部３に、後者では谷部４ｂに穿孔片が詰まり易く、頻繁にクリーニングが要求されるという問題もあった。このような従来の穿孔刃を備えた穿孔装置を用いて、ロール状に巻回された長尺の印画紙の短幅方向端部にカットマークを穿孔する場合には、上述の問題により頻繁に刃先の交換やクリーニング作業が要求されるため、処理効率が大きく低下するという問題があった。さらに、そのような印画紙は乳剤面と反対側の裏面が樹脂でラミネートされているため、図３（ｂ）に示すように、磨耗した穿孔刃で切断すると、穿孔縁Ｈで樹脂が引き千切られて繊維状の屑ｔが当該穿孔縁Ｈに付着して見苦しくなるという問題もあった
本発明の目的は、上述した従来の問題点に鑑み、刃先が容易に磨耗したり、刃先に穿孔片が詰まることのない長寿命の穿孔刃を提供する点にある。
【課題を解決するための手段】
【０００６】
上述の目的を達成するため、本発明による穿孔刃の第一の特徴構成は、特許請求の範囲の書類の請求項１に記載した通り、柱状体の先端部に形成された刃先により被穿孔体を穿孔する穿孔刃であって、前記刃先が複数の頂部と谷部で形成され、前記頂部の少なくとも一つが他の頂部よりも前記柱状体の軸心方向先端側に突出形成されている点にある。
【０００７】
上述の構成によれば、穿孔刃が被穿孔体に押付けられると、先ず最先端に位置する頂部により被穿孔体に僅かに切込み部が形成され、その後、切込み部から下刃との間で鋏のように切断され、次に刃先の他の頂部によって被穿孔体に切込み部が形成され、その切込み部から下刃との間で鋏のように切断されるので、被穿孔体に対する穿孔刃の押付け力が小さくても容易に穿孔できるようになるのであり、そのような弱い押付け力によれば刃先と被穿孔体との磨耗力が小さくなるので、容易に磨耗することなく、長期間安定して穿孔することができるようになるのである。また、谷部に穿孔片が入り込んでも、頂部間による穿孔片の保持力が不均一であるため、最も突出形成された頂部以外の頂部から容易に離脱し、穿孔片の詰まりの問題も解消されるのである。
【０００８】
同第二の特徴構成は、同請求項２に記載した通り、柱状体の先端部に形成された刃先により被穿孔体を穿孔する穿孔刃であって、前記刃先がその先端位置が等しい複数の頂部と谷部で形成され、前記谷部を形成する曲面の最深部が前記柱状体の軸心から偏在形成されている点にある。
【０００９】
上述の構成によれば、穿孔刃が被穿孔体に押付けられると、複数の頂部により被穿孔体に同時に僅かに切込み部が形成され、その後、切込み部から下刃との間で鋏のように切断されるのであるが、谷部を形成する曲面の最深部が前記柱状体の軸心から偏在形成され、下刃との間で鋏のように切断されるときに頂部から谷部の最深部に到る曲線の曲率が異なるために、各頂部から谷部にかけて切断される速度が不均一となり、刃先と被穿孔体との磨耗力が小さくなり、容易に磨耗することなく、長期間安定して穿孔することができるようになるのである。また、谷部に穿孔片が入り込んでも、谷部を形成する曲面の最深部が前記柱状体の軸心から偏在形成されているため、穿孔片の保持力が不均一であるため、曲率の大なる曲面側から小なる局面側に容易に離脱するので、穿孔片の詰まりの問題も解消されるのである。
【００１０】
同第三の特徴構成は、同請求項３に記載した通り、柱状体の先端部に形成された刃先により被穿孔体を穿孔する穿孔刃であって、前記刃先が複数の頂部と谷部で形成され、前記頂部の少なくとも一つが他の頂部よりも前記柱状体の軸心方向先端側に突出形成され、且つ、前記谷部の最深部が前記柱状体の軸心から偏在形成されている点にある。
【００１１】
このような構成によれば、上述の第一及び第二の特徴構成による作用が相乗して、より寿命の長い穿孔刃を得ることができるのである。
【００１２】
同第四の特徴構成は、上述した第一から第三の何れかに記載した穿孔刃であって、前記被穿孔体がロール状に巻回された長尺の印画紙であり、前記印画紙の短幅方向端部に穿孔する点にあり、本発明による穿孔刃の穿孔対象として印画紙が好適なものとなる。
【発明の効果】
【００１３】
以上説明した通り、本発明によれば、刃先が容易に磨耗したり、刃先に穿孔片が詰まることのない長寿命の穿孔刃を提供することができるようになった。
【発明を実施するための最良の形態】
【００１４】
以下に本発明による穿孔刃を備えた穿孔装置を具備した写真プリントシステムを説明する。写真プリントシステムは、図４に示すように、印画紙マガジンに収容された被穿孔体であるロール状に巻回された長尺の印画紙Ｐを焼付け露光し、露光後の印画紙をそのまま印画紙マガジンに巻き取るプリントプロセッサ３０と、図示しないが、印画紙マガジンに収容された露光後の印画紙を現像処理し、現像処理後の印画紙を乾燥させて再び印画紙マガジンに巻き取る現像プロセッサと、図５に示すように、印画紙マガジンに収容された現像処理後の印画紙を切断して所定サイズの写真プリントとして出力するペーパープロセッサ４０とで構成される。
【００１５】
前記プリントプロセッサ３０は、図４に示すように、装置フレーム２１に収容された印画紙マガジンＭ１から図示しないピックアップローラによって引き出された印画紙Ｐが、装置フレーム２２の搬送経路に沿って配置された複数対の搬送ローラにより搬送され、装置フレーム２３に収容された巻取り用のマガジンＭ２に巻き取られるように構成され、前記搬送経路に本発明による穿孔装置２０と、印画紙の裏面にオーダー情報を印字する印字ユニット２７と、露光装置２８などが設置されている。
【００１６】
前記印画紙マガジンＭ１から引き出された印画紙Ｐは、搬送ローラＲ２とＲ３の間でループｌｐ１を形成することにより印画紙Ｐに無用な搬送力が掛からないようにして、間歇駆動される搬送ローラＲ３とＲ４の間に配置された穿孔装置２０によってプリントサイズに対応する間隔で幅方向端部に乳剤塗布面側から裏面側に向けて穿孔処理される。詳述すると、前記穿孔装置２０は前記印画紙Ｐの幅方向両側に夫々設けられ、図６（ａ）、（ｂ）に示すように、一方の穿孔装置２０によって印画紙Ｐの搬送方向にプリントサイズ（コマ画像領域Ｉ）に対応する間隔で幅方向の一端部にカットマークＣＭ１〜ＣＭ５が穿孔処理され、他方の穿孔装置２０によって印画紙Ｐの搬送方向に１オーダーに対応する区切りで幅方向の他端部にオーダーマークＯＭが穿孔処理される。このような穿孔処理により、前記パーパープロセッサ４０による印画紙の切断処理が円滑に行なわれるのである。
【００１７】
穿孔処理が行なわれた印画紙Ｐは、搬送ローラＲ４とＲ５の間に配置されたドットプリント式の印字ユニット２７によりその裏面側にオーダー番号等のプリント識別データが印字処理された後に、搬送ローラＲ５とＲ６の間でループｌｐ２を形成することにより印画紙Ｐに無用な搬送力が掛からないようにして、所定速度で駆動される搬送ローラＲ３とＲ４の間に配置された露光装置２８によって露光処理される。前記露光装置は、赤（Ｒ）、緑（Ｇ）、青（Ｂ）の夫々の波長域の光を照射するレーザー方式の露光ヘッドが内蔵され、図示しないプリントデータ生成部から出力された赤（Ｒ）、緑（Ｇ）、青（Ｂ）の夫々の画像データに基づいて各レーザーが駆動されることにより印画紙Ｐが露光される。
【００１８】
このようにして複数のコマ画像が露光された印画紙Ｐは前記巻取り用のマガジンＭ２に巻き取られた後に、湿式の現像プロセッサに装着され、現像、漂白、定着という一連の処理が施されて顕像化された後に乾燥処理されて他のマガジン（図５に示すマガジンＭ３）に巻き取られる。
【００１９】
前記ペーパープロセッサ４０は、図５に示すように、装置フレーム２４に収容された印画紙マガジンＭ３から図示しないピックアップローラによって引き出された印画紙Ｐが、搬送ローラＲ１１や装置フレーム２５の搬送経路に沿って配置された複数対の搬送ローラにより搬送され、その搬送経路に配置されたカッターＣＴにより１コマ毎のサイズに切断された後に排出部２６に排出されるように構成されている。
【００２０】
詳述すると、引き出された印画紙Ｐは、搬送ローラＲ１２とＲ１３との間でループｌｐ３を形成することにより上流側の搬送ローラＲ１２により印画紙Ｐに無用な搬送力が掛からないようにして、間歇駆動される搬送ローラＲ１４とＲ１５との間に配置されるカッターＣＴにより切断される。前記カッターＣＴの上流側の搬送ローラＲ１３とＲ１４の間に前記穿孔装置２０による穿孔痕であるカットマーク及びオーダーマークを検出する一対の光学式のセンサＰＳが設けられ、前記センサＰＳで検出されたカットマークが前記カッターＣＴの上下の切断刃に移動したときに前記搬送ローラＲ１３〜Ｒ１６が停止され、図７（ａ）に示すような切断線ＣＬに沿って前記カッターＣＴにより切断され、その後に前記排出部２６に排出される。ここで、図７（ａ）に示す前記カットマークＣＭ１〜ＣＭ５に沿った切断線ＣＬで切断すると、印画紙Ｐの切り口にカットマークの半円形状が残ることになるため、図７（ｂ）に示すように、搬送方向に沿ったカットマークＣＭ１〜ＣＭ５の両側縁部を切断線ＣＬ１、ＣＬ２とするように切断することにより印画紙Ｐの切り口が直線状になるようにカットすることも可能となる。
【００２１】
前記排出部２６は前後一対のローラに支持されるエンドレスベルトで構成され、前記エンドレスベルトによる印画紙Ｐの搬送方向には、図示しないソータが配置されている。前記排出部２６に一連の印画紙Ｐが排出され、前記センサＰＳによりオーダーマークが検出される直前の印画紙Ｐが排出された時点でエンドレスベルトが駆動されることによりオーダー単位に印画紙がソータに排出される。
【００２２】
前記穿孔装置２０は、図１（ａ）に示す穿孔刃１と、図１（ｂ）に示すガイドケース１０とで構成され、前記穿孔刃１は超微粒子超鋼材でなるφ３．０ｍｍの中実の柱状体６の先端側が旋盤によりφ１．０ｍｍの柱状体２に切削加工され、その先端部に刃先４が形成されている。前記柱状体６の反対側にその軸心方向と垂直な平面状の取付板７が固定され、その取付板７に水平軸心で回転する楕円カム９によって前記柱状体６の軸心方向に沿って上下する駆動板８がボルト固定されている。
【００２３】
前記ガイドケース１０は、図１（ｂ）に示すように、前記穿孔刃１を上方から下方に案内するガイド孔１１が金属製の箱状体に形成され、その下端部に交差するように水平方向にスリットＳが形成されている。前記スリットＳの下面には前記ガイド孔１１の延長方向に筒状の下刃が形成され、その下端部が二段階に拡径されている。下段の拡径部には穿孔片を吸引する吸引管１５が接続され、上段の拡径部には前記ガイド孔１１に外気を通流させる通気孔１４が形成されている。
【００２４】
図１（ｃ）に示すように、前記穿孔刃１を前記ガイド孔１１に挿入し、前記刃先４が前記スリットＳより上方に位置する状態で、前記スリットＳに印画紙Ｐの幅方向一端部が挿入された状態で前記カム９を回転させることにより、図１（ｄ）に示すように、前記印画紙Ｐの端部が穿孔される。このような穿孔動作は前記印画紙Ｐの所定距離の搬送の度に繰り返されるが、そのとき、前記吸引管１５による吸引により前記スリットＳの下方に形成された前記ガイド孔１１の下端部が真空状態になり、その位置から前記穿孔刃１の上昇移動が妨げられるのを回避するために、前記通気孔１４から外気が導入されるように構成されている。
【００２５】
図２（ａ）に示すように、前記穿孔刃１の先端に形成された刃先４は対向する一対の頂部４ａと谷部４ｂで形成され、前記頂部４ａの一方が他の頂部４ａよりも前記柱状体２の軸心方向先端側に約０．１〜１．０ｍｍ程度突出形成されている。前記穿孔刃１が被穿孔体である印画紙Ｐに押付けられると、先ず最先端に位置する頂部４ａにより印画紙Ｐに僅かに切込み部が形成され、その後、切込み部から前記穿孔刃１よりやや大径の開口部５ａを備えた円形の下刃５との間で鋏のように切断され、次に刃先の他の頂部４ａによって印画紙Ｐに切込み部が形成され、その切込み部から下刃５との間で鋏のように切断されるので、印画紙に対する穿孔刃１の押付け力が小さくても容易に穿孔できるようになるのであり、そのような弱い押付け力によれば刃先４と印画紙Ｐとの磨耗力が小さくなるので、容易に磨耗することなく、長期間安定して穿孔することができるようになるのである。また、谷部４ｂに穿孔片が入り込んでも、頂部４ａ間による穿孔片の保持力が不均一であるため、最も突出形成された頂部４ａ以外の頂部から容易に離脱し、穿孔片の詰まりの問題も解消されるのである。このような穿孔刃１によれば、裏面が樹脂でラミネートされた印画紙であっても、図３（ａ）に示すように、長期間安定して滑らかな穿孔縁Ｈが確保されるように穿孔を行なうことができる。
【００２６】
以下に別実施形態を説明する。前記穿孔刃１の刃先４は、図２（ｂ）に示すように、刃先４がその先端位置が等しい対向する一対の頂部４ａと谷部４ｂで形成され、前記谷部４ｂを形成する曲面の最深部が前記柱状体の軸心から偏在形成されるものであってもよい。つまり、前記柱状体２の軸心ＰＬを通る紙面に垂直な線に対して前記谷部４ｂを形成する曲面の最深部を通る軸心ｐＬ１を通る紙面に垂直な線がずれるように形成されるものであってもよい。前記穿孔刃１が印画紙Ｐに押付けられると、複数の頂部４ａにより印画紙Ｐに同時に僅かに切込み部が形成され、その後、切込み部から前記下刃５との間で鋏のように切断されるのであるが、谷部４ｂを形成する曲面の最深部が前記柱状体２の軸心から偏在形成され、下刃５との間で鋏のように切断されるときに頂部４ａから谷部４ｂの最深部に到る曲線の曲率が異なるために、各頂部４ａから谷部４ｂにかけて切断される速度が不均一となり、刃先４と印画紙Ｐとの磨耗力が小さくなり、容易に磨耗することなく、長期間安定して穿孔することができるようになるのである。また、谷部４ｂに穿孔片が入り込んでも、谷部４ｂを形成する曲面の最深部が前記柱状体２の軸心ＰＬから偏在形成されているため、穿孔片の保持力が不均一となり、曲率の大なる曲面側から小なる局面側に容易に離脱するので、穿孔片の詰まりの問題も解消されるのである。
【００２７】
同様に、図２（ｃ）に示すように、上述の双方の特徴を備え、刃先４が対向する一対の頂部４ａと谷部４ｂで形成され、前記頂部４ａの少なくとも一つが他の頂部４ａよりも前記柱状体２の軸心方向先端側に突出形成され、且つ、前記谷部４ｂの最深部が前記柱状体２の軸心から偏在形成されているものであってもよい。
【００２８】
上述した何れの実施形態も、刃先４が対向する一対の頂部４ａと谷部４ｂで形成されたものを説明したが、刃先が二以上の複数の頂部と谷部で形成され、前記頂部の少なくとも一つが他の頂部よりも前記柱状体の軸心方向先端側に突出形成されているもの、刃先がその先端位置が等しい複数の頂部と谷部で形成され、前記谷部を形成する曲面の最深部が前記柱状体の軸心から偏在形成されているもの、刃先が複数の頂部と谷部で形成され、前記頂部の少なくとも一つが他の頂部よりも前記柱状体の軸心方向先端側に突出形成され、且つ、前記谷部の最深部が前記柱状体の軸心から偏在形成されているものであってもよい。
【００２９】
本発明による穿孔刃の形状、頂部の数、特定の頂部の他の頂部からの突出の程度、谷部の最凹部の軸心からの偏心の程度などは本発明の作用効果を奏する限りにおいて適宜設定可能なものである。
【図面の簡単な説明】
【００３０】
【図１】穿孔装置の説明図で、（ａ）は穿孔刃の正面図であり、（ｂ）は穿孔装置の要部正面図であり、（ｃ）は穿孔作動直前の穿孔装置の要部正面図であり、（ｄ）は穿孔作動直度の穿孔装置の要部正面図
【図２】穿孔刃の刃先の要部説明図
【図３】穿孔痕の説明図
【図４】プリントプロセッサの要部説明図
【図５】ペーパープロセッサの要部説明図
【図６】印画紙の穿孔プロセスの説明図
【図７】印画紙の穿孔プロセスの説明図
【図８】従来の穿孔刃の要部説明図
【符号の説明】
【００３１】
１：穿孔刃
２：柱状体
４：刃先
４ａ：頂部
４ｂ：谷部
【図１】
2007044796.tif 000003
【図２】
2007044796.tif 000004
【図４】
2007044796.tif 000005
【図５】
2007044796.tif 000006
【図６】
2007044796.tif 000007
【図７】
2007044796.tif 000008
【図８】
2007044796.tif 000009
【図３】
2007044796.tif 000010